(57)【要約】【課題】  従来よりも耐久性に優れた遊技機用ボタンスイッチ装置を提供する。【解決手段】  環状の支持枠体２２、及び支持枠体２２から後方へ延設されたガイド部材２３を備えた固定側部材２１と、支持枠体２２内に嵌合配置されて軸方向へ進退自在に支持されるボタン部材３１と、支持枠体の後面に配置され、少なくとも光センサ４３を搭載したプリント基板４１と、ボタン部材３１の軸方向への進退動範囲を規制する規制部材と、ガイド部材３１によって支持されてボタン部材３１を前方へ弾性付勢するバネ３０と、バネ３０によってボタン部材３１が前方へ突出付勢されているときに光センサ４３をオン又はオフにすると共に、バネ３０に抗してボタン部材３１を後方へ押し込んだときに光センサ４３をオフ又はオンにする遮蔽部材３５とを備えた遊技機用ボタンスイッチ装置において、支持枠体２２とプリント基板４１との間にプリント基板を保護する基板保護部材５０を介在させるようにした。【選択図】      図１
2006311971.tif 000002
【特許請求の範囲】
【請求項１】
環状の支持枠体、及び前記支持枠体から後方へ延設されたガイド部材を備えた固定側部材と、前記支持枠体内に嵌合配置されて軸方向へ進退自在に支持されるボタン部材と、前記支持枠体の後面に配置され、少なくとも光センサを搭載したプリント基板と、前記ボタン部材の軸方向への進退動範囲を規制する規制部材と、前記ガイド部材によって支持されて前記ボタン部材を前方へ弾性付勢する弾性部材と、前記ボタン部材に設けられて前記弾性部材によって前記ボタン部材が前方へ突出付勢されているときに前記光センサをオン又はオフにすると共に、前記弾性部材に抗して前記ボタン部材を後方へ押し込んだときに前記光センサをオフ又はオンにする遮蔽部材と、を備えた遊技機用ボタンスイッチ装置において、
前記支持枠体と前記プリント基板との間に前記プリント基板を保護する基板保護部材を介在させたことを特徴とする遊技機用ボタンスイッチ装置。
【請求項２】
前記プリント基板の前記支持枠体との対向面に発光ダイオードを実装した上で、前記基板保護部材を透明部材により形成したことを特徴とする請求項１に記載の遊技機用ボタンスイッチ装置。
【請求項３】
前記基板保護部材には、前記発光ダイオードの光を拡散する光拡散部が形成されていることを特徴とする請求項２に記載の遊技機用ボタンスイッチ装置。
【発明の詳細な説明】
【技術分野】
【０００１】
本発明は、パチンコ遊技機等の遊技機に備えて好適な遊技機用ボタンスイッチ装置に関するものである。
【背景技術】
【０００２】
従来からパチンコ遊技機を備えたホールにおいては、遊技者の遊技に対する参加感を演出し、興趣を高めることが重要視されているが、この目標は必ずしも十分に達成されてはいない。このため、近年のパチンコ遊技機には、例えば遊技演出の選択を遊技者自身に行わせて遊技に対する参加感を演出するチャンスボタンと呼ばれるボタンスイッチが導入されている。例えば、特許文献１にはフォトセンサを用いることで耐久性を高め、さらにボタンの内部に発光ダイオードを設けることで装飾性を高めるようにした遊技機用ボタンスイッチ装置が提案されている。
【特許文献１】特開２００４−８１６０３公報
【発明の開示】
【発明が解決しようとする課題】
【０００３】
ところで、上記したような遊技機用ボタンスイッチ装置は、例えば遊技者が特定のタイミングで押下することで遊技演出の選択を可能にするものであるが、実際には遊技者により特定タイミング以外の時点において押圧されたり、また必要以上の強打、連打が行われているのが実情であった。
このため、上記した特許文献１の遊技機用ボタンスイッチ装置では、遊技者による度重なる強打による衝撃や、連打による振動などにより想定外の衝撃を受け、その内部に設けられた回路基板と表装板との接触部が摩耗し、場合によっては回路基板自体がひび割れたり、回路基板の回路パターンに損傷が生じることが多々あった。
そこで、本発明は上記従来の欠点を解消するべく創案されたものであり、従来よりも耐久性に優れた遊技機用ボタンスイッチ装置を提供することを目的とする。
【課題を解決するための手段】
【０００４】
上記目的を達成するため、請求項１に記載の発明は、環状の支持枠体、及び前記支持枠体から後方へ延設されたガイド部材を備えた固定側部材と、前記支持枠体内に嵌合配置されて軸方向へ進退自在に支持されるボタン部材と、前記支持枠体の後面に配置され、少なくとも光センサを搭載したプリント基板と、前記ボタン部材の軸方向への進退動範囲を規制する規制部材と、前記ガイド部材によって支持されて前記ボタン部材を前方へ弾性付勢する弾性部材と、前記ボタン部材に設けられて前記弾性部材によって前記ボタン部材が前方へ突出付勢されているときに前記光センサをオン又はオフにすると共に、前記弾性部材に抗して前記ボタン部材を後方へ押し込んだときに前記光センサをオフ又はオンにする遮蔽部材と、を備えた遊技機用ボタンスイッチ装置において、前記支持枠体と前記プリント基板との間に前記プリント基板を保護する基板保護部材を介在させたことを特徴とする。
請求項２に記載の発明は、前記プリント基板の前記支持枠体との対向面に発光ダイオードを実装した上で、前記基板保護部材を透明部材により形成した請求項１に記載の遊技機用ボタンスイッチ装置であることを特徴とする。
請求項３に記載の発明は、前記基板保護部材には、前記発光ダイオードの光を拡散する光拡散部が形成されている請求項２に記載の遊技機用ボタンスイッチ装置であることを特徴とする。
【発明の効果】
【０００５】
本発明によれば、支持枠体とプリント基板との間にプリント基板を保護する基板保護部材を介在させたことで、基板保護部材が支持枠体とプリント基板との間の緩衝材として作用するので、従来より耐久性に優れ、遊技者の度重なる強打による衝撃や連打による振動からプリント基板を保護することができる遊技機用ボタンスイッチ装置を実現することができる。
また支持枠体とプリント基板との間に基板保護部材を介在させたことで、ボタン部材周辺の隙間から流入した飲料水等の水分がプリント基板にかかるのを防ぐことができるので、水分によりプリント基板の回路が短絡するなどの電気的トラブルが発生することもない。
【発明を実施するための最良の形態】
【０００６】
以下、本発明の遊技機用ボタンスイッチ装置の実施形態について説明する。
図１は、本発明の実施形態に係るパチンコ遊技機の全体正面図である。
図１に示す本実施形態のパチンコ遊技機１は、矩形形状の枠２を有し、この枠２の窓孔に対して裏側から遊技盤３を着脱可能に取り付けられ、この遊技盤３の前面側に図示しないガラス枠が開閉可能に取り付けられている。遊技盤３の下部には遊技球を貯留する受け皿部４と、受け皿部４の遊技球を発射する発射レバー５等が設けられている。そして、この受け皿部４と発射レバー５との間の前面下部板６に本実施形態の遊技機用ボタンスイッチ装置１０が設けられている。
図２は本実施形態の遊技機用ボタンスイッチ装置１０が設けられている前面下部板６を拡大して示した図である。
この図２に示すように、前面下部板６には、遊技機用ボタンスイッチ装置１０、球貸しボタン１１、返却ボタン１２、及び受け皿部４に貯留されている遊技球を排出する排出口の扉を自動的に開閉する球排出ボタン１３が設けられている。
以下、上記パチンコ遊技機に備えられる本実施形態の遊技機用ボタンスイッチ装置１０の構造を説明する。
図３は本実施形態の遊技機用ボタンスイッチ装置の分解図、図４は本実施形態の遊技機用ボタンスイッチ装置の組立図、図５は本実施形態の遊技機用ボタンスイッチ装置を図２に示したＡ−Ａ’断面図である。
【０００７】
図３〜図５に示す本実施形態の遊技機用ボタンスイッチ装置１０において、固定側部材２１は、環状の支持枠体２２と、この支持枠体２２から後方へ延設されたガイド部材２３とから成る。ガイド部材２３の底面部にはバネホルダ２４が形成されており、このバネホルダ２４内にボタン部材３１を前方に付勢する弾性部材として例えばバネ３０が保持されている。支持枠体２２には環状の表装板２６が取り付けられる。このため、支持枠体２２には表装板２６を取り付ける際に位置を決定するための凸部２７が形成されている。凸部２７は、表装板２６側に設けた図示しない凸部、或いは凹部に係合することによって、表装板２６の位置、角度を規定する。また固定側部材２１の適所、例えばガイド部材２３にはパチンコ遊技機１の枠２に取り付けるための取り付け部２５が設けられている。
可動部材としてのボタン部材３１は、前面側に配置される押しボタン部３２とボタン支持部３３とから成り、ボタン支持部３３の表面に押しボタン部３２が冠着される。このため、ボタン支持部３３には押しボタン部３２を取り付ける際の取り付け向きを決定するための凸部３４が形成されている。またボタン支持部３３には、プリント基板４１に設けられている光センサ４３をオン又はオフするための遮蔽板３５が、その外面適所から突設されている。
また遊技機用ボタンスイッチ装置１０においては、ボタン部材３１の軸方向への進退動範囲を規制する規制部材として、ボタン部材３１の軸部３６の後端に爪状のストッパ３７が形成されていると共に、ガイド部材２３の後端面には上記ボタン部材３１の軸部３６を挿通可能な開口部２８が形成されている。これにより、ボタン部材３１を固定側部材２１の支持枠体２２内に前方側から嵌合した場合、バネ３０の弾性によりボタン部材３１は前方に付勢されるが、ストッパ３７がガイド部材２３の底面に形成した開口部２８の開口縁に当接することで、ボタン部材３１の軸方向への進動範囲が制限される。またボタン部材３１の外周縁後部３３ａ（図５参照）が、支持枠体２２の内底部２２ａに当接することで、ボタン部材３１の軸方向への退動範囲が制限される。この結果、ボタン部材３１の軸方向への進退動範囲を規制するようにしている。
プリント基板４１の固定側部材２１と対向する面には発光ダイオード（ＬＥＤ）４２が配置され、その反対面には光センサ（フォトセンサ）４３やコネクタ４４等が搭載されている。
このようなプリント基板４１は、図４に示すようにネジ４５により固定側部材２１の支持枠体２２の後面に取り付けることになるが、本実施形態ではこの支持枠体２２とプリント基板４１との間にプリント基板４１を保護する基板保護部材５０を介在させるようにした点に特徴がある。
基板保護部材５０は、例えば透明で表面を加工したときに光の拡散性が高いレンズ効果を得られる部材であることが望ましく、例えば透明樹脂（ポリカーボネート、ＡＢＳ等）若しくはガラスなどを用いて構成することが望ましい。
【０００８】
また本実施形態では基板保護部材５０に光拡散部５１を形成するようにしている。光拡散部５１は基板保護部材５０の表面側は平坦加工し、裏面側に複数の溝を設けることにより形成される。
このように構成される本実施形態の遊技機用ボタンスイッチ装置１０においては、図６（ａ）に示すように、バネ３０の弾性によりボタン部材３１が前方へ突出付勢されているときは、光センサ４３の投光器と受光器との間を遮蔽板３５により遮蔽することにより光センサ４３がオフ（又はオン）になる。
一方、図６（ｂ）に示すように、バネ３０の弾性に抗してボタン部材３１を後方へ押し込んだときに、光センサ４３の投光器と受光器との間の遮蔽板３５による遮蔽が解除されて光センサ４３がオン（又はオフ）になる。
このように本実施形態の遊技機用ボタンスイッチ装置１０においては、支持枠体２１とプリント基板４１との間に基板保護部材５０を介在させて基板保護部材５０がプリント基板４１の緩衝材の役割を果たすようにしたことで、従来のボタンスイッチ装置より耐久性に優れ、遊技者による度重なる強打の衝撃や連打による振動などの衝撃からプリント基板４１を保護することができるようになる。
また、従来のボタンスイッチ装置は、装置内部に設けられたプリント基板の表面には押しボタン部を発光させるためのＬＥＤ、裏面には光センサを設け、プリント基板を表装板の裏面にネジにて直接固着するといった方法を用いていた。
【０００９】
このようにボタンスイッチ装置を構成した場合は、組み付けの容易さという点において優れたものであったが、押しボタン部の隙間から予期せぬ水分の進入により、プリント基板の回路がショートしたり、表装板の裏面とプリント基板の接触部とが度重なる衝撃により摩耗し回路パターンを著しく損傷させるなどして、プリント基板上の回路が切断される等の問題が発生するおそれがあった。
特に、プリント基板を支持枠体に取り付けるネジがしっかりと固定されていない場合は、衝撃でネジが緩みプリント基板が動いてしまうため、プリント基板の表面に傷がつくおそれがあった。
これに対して、本実施形態の遊技機用ボタンスイッチ装置１０においては、プリント基板４１の前面を覆うように基板保護部材５０を介在させるようにしたことで、押しボタン部３２の周辺の隙間から流入した飲料水等の水分がプリント基板４１にかかるのを防ぐことができるので、短絡などの電気的トラブルが発生するのを防止することができる。
また基板保護部材５０の少なくとも一部を透明部材により形成すると共に、ＬＥＤ４２の光を拡散する光拡散部５１を形成することで、押しボタン部３２の全部又は一部を発光させることが可能となり、ＬＥＤ４２の光を効果的に演出用に活用することができる。
即ち、本実施形態の遊技機用ボタンスイッチ装置１０によれば、安価な方法で従来よりも耐久性と光の利用効率に優れた装置を実現する事が可能になる。
【図面の簡単な説明】
【００１０】
【図１】本発明の実施形態に係るパチンコ遊技機の全体正面図。
【図２】本実施形態の遊技機用ボタンスイッチ装置が設けられているパチンコ遊技機の前面下部板を拡大して示した図。
【図３】本実施形態に係る遊技機用ボタンスイッチ装置の分解図。
【図４】本実施形態に係る遊技機用ボタンスイッチ装置の組立図。
【図５】図２に示した破線Ａ−Ａ’における断面図。
【図６】本実施の形態の遊技機用ボタンスイッチ装置の動作説明図。
【符号の説明】
【００１１】
１…パチンコ遊技機、２…枠、３…遊技盤、４…受け皿部、５…発射レバー、６…前面下部板、１０…遊技機用ボタンスイッチ装置、１１…球貸しボタン、１２…返却ボタン、１３…球排出ボタン、２１…固定側部材、２２…支持枠体、２２ａ…内底部、２３…ガイド部材、２４…バネホルダ、２５…取り付け部、２６…表装板、２７  ３４…凸部、２８…開口部、３０…バネ、３１…ボタン部材、３２…押しボタン部、３３…ボタン支持部、３３ａ…外周縁下部、３５…遮蔽板、３６…軸部、３７…ストッパ、４１…プリント基板、４２…発光ダイオード（ＬＥＤ）、４３…光センサ、４４…コネクタ、５０…基板保護部材、５１…光拡散部
【図１】
2006311971.tif 000003
【図２】
2006311971.tif 000004
【図３】
2006311971.tif 000005
【図４】
2006311971.tif 000006
【図５】
2006311971.tif 000007
【図６】
2006311971.tif 000008